(57)【特許請求の範囲】
【請求項１】
矩形状の底板と、同底板の四隅に立設された複数の支柱と、これら複数の支柱の上端間を連結する複数の連結板と、これら複数の連結板の上端に被着された天板とから筐体を構成し、同筺体の正面に形成される開口を着脱自在な正面カバーにより閉塞すると共に、同正面カバーの裏面に電装品箱を配置してなる空気調和機の室外機において、
前記底板の正面側に立設された一側の支柱を、前記底板の前端より前記電装品箱の厚み分だけ後方にずらして配置し、前記電装品箱を、前記筺体の後方にずらして配置された前記支柱側より導出できるようにスライド可能に設け、前記底板の正面側に立設された両側の前記支柱の上端間を連結する連結板の一側に、後方に折曲する折曲部を形成し、同折曲部の先端を一側の前記支柱に固定するとともに、前記正面連結板の折曲部の内側に、一端が後方にずらして配置された前記支柱に固定され、他端が前記連結板の板面に固定される補強板を対向して設けてなることを特徴とする空気調和機の室外機。
【発明の詳細な説明】
【技術分野】
【０００１】
本発明は、空気調和機の室外機に係わり、より詳細には、本体のコンパクト化とメンテナンス時の作業の効率化をはかれるようにした構造に関する。
【背景技術】
【０００２】
従来の上部吹出し形の空気調和機の室外機は、筐体の強度と低コスト化、さらには省エネ性や静音化にも優れたものとして、例えば図６に示すように、背面および両側面に設けた吸込口と上面に設けた吹出口とを有する筐体Ａと、同筐体Ａの上面部に設置された図示しない送風ファンと、吸込口に沿って設置された略コ字状の熱交換器Ｂとを備え、前記筐体Ａの側面の骨格は側面上部材Ｃと、底板Ｄと、側面前部材Ｅおよび側面後部材Ｆのそれぞれの端部を結合したロ字状の側面枠部材と、この側面枠部材の対角部を結ぶように設けた補強部材Ｇとを備え、筐体Ａの両側面の各吸込口は後部から前部に到るように各側面の半分以上の大きさの通風面積を有するように形成され、熱交換器Ｂの両側部分は筐体Ａの両側面の各吸込口に沿って前部に到るように、各側面の半分以上の大きさの通風面積を有するように形成されてなるものが開示されていた（例えば、特開２００７−１９２４５３号公報参照）。
【０００３】
上述したように、側面の枠組をロ字状に構成してその対角線に補強部材Ｇを設けることにより、吸込面積を確保しながら筐体Ａの強度を増すように構成される一方、正面カバーＨを正面側に外すことにより、同正面カバーＨの内側にある電装品箱を正面からメンテナンスする構成であることから、同電装品箱の背面側内部における圧縮機と配管のシールチェックや圧力センサ等のメンテナンスを容易にするには、同電装品箱によって、これら圧縮機と配管や圧力センサ等が遮られないように夫々の設置スペースを確保するため、室外機本体を大型化する必要が生じてしまうおそれがあった。
【０００４】
そこで、室外機本体のコンパクト化とメンテナンス時の作業の効率化をはかるには、前記電装品箱を一側にスライドさせる構成にして、同電装品箱の背面側内部を開放可能に構成するなどの工夫が必要であった。
【０００５】
その場合、前記電装品箱が引き出される一側の正面隅部の支柱を、同電装品箱よりも後方にずらして立設させる必要があり、そのため正面一側の隅部に支柱がない構成になってしまうので、筐体としての強度が低下してしまわないように補強しなければならないという問題点を有していた。
【特許文献１】特開２００７−１９２４５３号公報
【発明の開示】
【発明が解決しようとする課題】
【０００６】
そこで、本発明は上述した課題を解決するためになされたものであって、その目的は、支柱が正面一側の隅部にない筐体の強度を補強して、本体のコンパクト化とメンテナンス時の作業の効率化をはかれるようにした空気調和機の室外機を提供することにある。
【課題を解決するための手段】
【０００７】
上述した目的を達成できるように、本体のコンパクト化とメンテナンス時の作業の効率化をはかるため、本発明は以下に示す特徴を備えている。
【０００８】
矩形状の底板と、同底板の四隅に立設された複数の支柱と、これら複数の支柱の上端間を連結する複数の連結板と、これら複数の連結板の上端に被着された天板とから筐体を構成し、同筺体の正面に形成される開口を着脱自在な正面カバーにより閉塞すると共に、同正面カバーの裏面に電装品箱を配置してなる空気調和機の室外機において、
前記底板の正面側に立設される一側の支柱を、前記底板の前端より前記電装品箱の厚み分だけ後方にずらして配置し、前記電装品箱を、前記筺体の後方にずらして配置された前記支柱側より導出できるようにスライド可能に設け、前記底板の正面側に立設される両側の前記支柱の上端間を連結する連結板の一側に、後方に折曲する折曲部を形成し、同折曲部の先端を一側の前記支柱に固定するとともに、前記正面連結板の折曲部の内側に、一端が後方にずらして配置された前記支柱に固定され、他端が前記連結板の板面に固定される補強板を対向して設けてなることを特徴とする空気調和機の室外機。
【０００９】
【００１０】
【発明の効果】
【００１１】
本発明によれば、底板の正面側に立設される両側の支柱の上端間を連結する正面連結板の一側に、後方に折曲する折曲部を形成し、同折曲部の先端を後方にずらして配置された支柱に固定することによる筐体角部の強度を、正面連結板の折曲部の内側に、一端が後方にずらして配置された支柱に固定され、他端が正面連結板の板面に固定される補強板を対向して設けることによって補強することができる。
また、電装品箱を、筺体の後方にずらして配置された支柱側より導出できるようにスライド可能に設けているので、メンテナンス時の作業の効率化を図ることができる。
【発明を実施するための最良の形態】
【００１２】
次に、本発明の実施形態について図面を参照しながら説明する。
【００１３】
図１は本発明による空気調和機の室外機の斜視図であり、図２は本発明による空気調和機の室外機の骨格をなす筐体の斜視図であり、図３は本発明による空気調和機の室外機の熱交換器を備えた筐体の斜視図であり、図４は図２および図３に示すＡ部の拡大図であり、図５は図２および図３に示すＡ部の拡大図で、（Ａ）は分解斜視図、（Ｂ）は組立状態を示す斜視図である。
【００１４】
本発明による上部吹出し形の空気調和機の室外機は、図１乃至図４に示すように、左右側面１および背面２に吸込口３を備え、上面４に吹出口５を備えた室外機本体内には、前記左右側面１および前記背面２に備えた前記吸込口３に臨ませるように底板７上に載置される上面視でコ字状に折曲形成された熱交換器８が設けられ、前記吹出口５に臨ませるように図示しない送風ファンが設けられている。
【００１５】
空気調和機の室外機の骨格をなす筐体６は、矩形状の前記底板７と、同底板の四隅に立設された支柱９ａ、９ｂ、９ｃ、９ｄと、前記支柱９ａと前記支柱９ｂとの上端部間を連結する正面連結板６ａ、前記支柱９ｂと前記支柱９ｃとの上端部間を連結する右側面連結板６ｂ、前記支柱９ｃと前記支柱９ｄとの上端部間を連結する背面連結板６ｃおよび前記支柱９ｄと前記支柱９ａとの上端部間を連結する左側面連結板６ｄと、これら連結板６ａ、６ｂ、６ｃ、６ｄの上面に被着された前記上面４を形成する天板とにより構成されている。
これにより、前記筐体６の左右側面および背面に形成される開口は、前記吸込口３として機能し、また、正面に形成される開口は、点検口として機能するもので、同点検口は着脱自在な正面カバー１０により閉塞された構成となっている。
【００１６】
前記筺体６内の前記正面カバー１０の裏面には、電装品箱１２が図４に示す矢印Ａのように前記筺体６の一側より導出できるようにスライド可能に設けられている。
これに伴い、前記支柱９ａは前記底板７の前端から前記電装品箱１２の厚さ分だけ後方にずらして配置されている。
【００１７】
これにより、前記電装品箱１２内部のメンテナンス時には、前記正面カバー１０を取り外すことにより作業を行うことができ、また、図４に二点鎖線で示すように電装品箱１２を前記筺体６の後方にずらして配置された支柱側より導出させることにより、移動前の電装品箱１２の裏面を開放し圧縮機と配管のシールチェックや圧力センサ等のメンテナンス作業を正面側から行うことができる。
【００１８】
【００１９】
【００２０】
【００２１】
前記筐体６は、上述したように底板７と、同底板７の四隅に立設された複数の支柱９ａ、９ｂ、９ｃ、９ｄと、これ等支柱９ａ、９ｂ、９ｃ、９ｄの上端部間を連結する複数の連結板６ａ、６ｂ、６ｃ、６ｄと、これら連結板６ａ、６ｂ、６ｃ、６ｄの上面に被着された前記上面４を形成する天板とにより構成されているが、上述したように前記支柱９ａは、前記底板７の前端より前記電装品箱１３の厚さ分だけ後方にずらして配置されているので、前記支柱９ａに連結される前記正面連結板６ａの一側には後方に折曲する折曲部が形成され、同折曲部の先端が前記支柱９ａに固定されるようになっている。
このように、前記支柱９ａが後方にずらして配置されることにより、筺体６の角部の強度は前記正面連結板９ａの強度に依存することになり、前記正面連結板９aだけでは充分な強度を確保することが困難なことから、補強を行う必要がある。
【００２２】
以下、前記筐体６の角部の補強構造について、図２乃至図５に基づいて詳細に説明する。
【００２３】
【００２４】
【００２５】
前記支柱９ａに連結される前記正面連結板６ａの折曲部の内側には、同折曲部に対向するように、一端が前記支柱９ａに固定され、他端が前記正面連結板６ａの板面に固定される補強板１１が設けられており、筺体６の角部の補強が行われている。
【００２６】
【００２７】
ここで、図５（Ａ）および図５（Ｂ）に基づいて、前記補強板１１の固定構造について説明する。
【００２８】
前記補強板１１は、上端および後端に前記折曲部側に折曲されたフランジと、前端に前記フランジとは逆方向に折曲されたフランジを備えている。前記後端フランジには係止爪１１ａと複数の挿通孔１１ｂとが設けられる一方、前記支柱９ａには、前記係止爪１１ａに対応する係止孔ｃと、前記複数の挿通孔１１ｂに対応するねじ孔ｄとが設けられている。
【００２９】
これにより、図５（Ａ）に示す矢印のように、前記係止爪１１ａを前記係止孔ｃに係止し、図５（Ｂ）に示す状態で、前記挿通孔１１ｂに通した図示しない固定用ねじを前記ねじ孔ｄに螺着して、前記補強板１１の一端は前記支柱９ａに固定される。
【００３０】
また、前記正面連結板６ａの折曲部の先端には、ねじ孔６ａ２を備えた係止片６ａ１が設けられ、前記支柱９ａには、前記係止片６ａ１に対応する係止孔ａと、前記ねじ孔６ａ２に対応して図示しない固定用ねじを通す挿通孔ｂとが設けられている。
【００３１】
これにより、図５（Ａ）に示す矢印のように、前記係止片６ａ１を前記係止孔ａに挿入し、前記挿通孔ｂに通した図示しない固定用ねじを前記ねじ孔６ａ２に螺着することにより、前記正面連結板６aの折曲部の先端は前記支柱９ａに固定される。
【００３２】
また、前記補強板１１の前端フランジには、複数のねじ孔eが設けられ、前記正面連結板６aの板面には、前記ねじ孔eに対応して図示しないねじを通す複数の挿通孔fが設けられている。
【００３３】
これにより、前記補強板１１の前端フランジに設けられた複数のねじ孔ｅに、同ねじ孔ｅに対応して前記正面連結板６ａの板面に設けられた挿通孔ｆに通して図示しない固定用ねじを螺着して、前記補強板１１の他端は前記正面連結板６ａの板面に固定される。
【００３４】
【００３５】
【００３６】
【００３７】
【図面の簡単な説明】
【００３８】
【図１】本発明による空気調和機の室外機の斜視図である。
【図２】本発明による空気調和機の室外機の骨格をなす筐体の斜視図である。
【図３】本発明による空気調和機の室外機の熱交換器を備えた筐体の斜視図である。
【図４】図２および図３に示すＡ部の拡大図である。
【図５】図２および図３に示すＡ部の拡大図で、（Ａ）は分解斜視図であり、（Ｂ）は組立状態を示す斜視図である。
【図６】従来例による空気調和機の室外機の骨格をなす筐体の斜視図である。
【符号の説明】
【００３９】
１  側面
２  背面
３  吸込口
４  上面
５  吹出口
６  筐体
６ａ  正面連結板
６ｂ  右側面連結板
６ｃ  背面連結板
６ｄ  左側面連結板
７    底板
８    熱交換器
９ａ  支柱
９ｂ  支柱
９ｃ  支柱
９ｄ  支柱
１０  正面カバー
１１  補強板
１１ａ  係止爪
１１ｂ  挿通孔
１２  電装品箱
ａ  係止孔
ｂ  挿通孔
ｃ  係止孔
ｄ  ねじ孔
ｅ  ねじ孔
ｆ  挿通孔
【図１】
0004957517.tif 000002
【図２】
0004957517.tif 000003
【図３】
0004957517.tif 000004
【図４】
0004957517.tif 000005
【図５】
0004957517.tif 000006
【図６】
0004957517.tif 000007